(57)【要約】      （修正有）【課題】薄い状態を保持して持ち運び可能な、携帯性に優れる収納用具を提供する。【解決手段】収納用具Ｘは、略平面状に折り畳み可能な収納袋１と、折り畳んだ状態の収納袋１を挿入可能な口部２２を有するケース２と、を備え、ケース２は、複数枚の薄板部材２１によって構成され、複数枚の薄板部材２１同士は、口部２２を除いた縁辺部が接合されることによりケース２を形成する。また、口部２２の端部には、面取り加工が施されていることが好ましい。【選択図】図１
0003231532.tif 000002
【実用新案登録請求の範囲】
【請求項１】
略平面状に折り畳み可能な収納袋と、折り畳んだ状態の前記収納袋を挿入可能な口部を有するケースと、を備え、
前記ケースは、複数枚の薄板部材によって構成され、
前記複数枚の薄板部材同士は、前記口部を除いた縁辺部が接合されることにより前記ケースを形成する収納用具。
【請求項２】
前記口部の端部には、面取り加工が施される請求項１に記載の収納用具。
【請求項３】
前記薄板部材の厚みは、前記収納袋を形成する部材の厚みよりも大きい請求項１または２に記載の収納用具。
【請求項４】
前記収納袋には、前記収納袋の幅方向に向けて複数の折り畳み線が形成されており、
複数の前記折り畳み線において、隣接する前記折り畳み線同士の間隔は、前記収納袋の下端から上端にかけて、徐々に広くなるように設けられている請求項１〜３の何れかに記載の収納用具。
【請求項５】
前記折り畳み線は、前記収納袋の幅が最大となる位置に設けられる請求項４に記載の収納用具。
【請求項６】
前記収納袋は、上部に手指を挿入可能な穴として形成される持ち手部を有し、
前記持ち手部は、前記収納袋の上端と、前記収納袋の上端に隣接する前記折り畳み線と、の間に設けられる請求項４または５に記載の収納用具。
【請求項７】
前記持ち手部は、周縁部から延設して設けられる延設部を有し、
前記延設部は、前記収納袋の裏側に向けて折られた状態で前記収納袋に接合される請求項６に記載の収納用具。
【考案の詳細な説明】
【技術分野】
【０００１】
本考案は折り畳んで収容可能な収納用具に関する。
【背景技術】
【０００２】
昨今の環境意識の高まりから、再利用可能な収納用具の需要がますます高まっている。
その内、買い物袋として利用される収納用具は特に需要が大きく、一般にエコバッグ（登録商標）と呼ばれて流通している。
【０００３】
ところで、このような収納用具は日常において使用される機会が多く、常時持ち歩く者もいることを鑑みると、携帯性を高めることが望ましい。
このような事情から、略平面状に折り畳むことによって携帯性を高め、財布に収容することができる程度まで薄くすることとした収容用具が、例えば特許文献１に記載されている。
【先行技術文献】
【特許文献】
【０００４】
【特許文献１】実用新案登録３１６２８１９号公報
【考案の概要】
【考案が解決しようとする課題】
【０００５】
特許文献１に記載の折り畳み式買い物袋は、折り目線を模様として表示することによって買い物袋の折り畳みを容易に行うことができるとしている。
【０００６】
しかしながら、実際に折り畳んだ買い物袋を財布に収納しようとする際に、財布の壁面との摩擦で買い物袋の形状が崩れてしまうことや、また、収納した後の財布の揺動によって、折り畳まれた買い物袋の折り目が次第に開いてしまうことあり、これらの点において改良の余地があった。
【０００７】
本考案は、上述の課題に鑑みて、薄い状態を保持して持ち運び可能な、携帯性に優れる収納用具を提供することを目的とする。
【課題を解決するための手段】
【０００８】
上記課題を解決する本考案は、略平面状に折り畳み可能な収納袋と、折り畳んだ状態の前記収納袋を挿入可能な口部を有するケースと、を備え、前記ケースは、複数枚の薄板部材によって構成され、前記複数枚の薄板部材同士は、前記口部を除いた縁辺部が接合されることにより前記ケースを形成する収納用具である。
【０００９】
このような構成にすることで、折り畳んだ状態の前記収納袋を複数枚の薄板部材に挟み込むように保持することができるようになるため、前記収納袋を薄い状態のまま挟持しながら携帯することができる。
【００１０】
本考案の望ましい形態では、前記口部の端部には、面取り加工が施される。
【００１１】
このような構成にすることによって、前記口部を開きやすくするとともに、前記口部の実質的な最大幅を大きくすることができるため、前記収納袋を前記ケースに挿入することが容易になる。
【００１２】
本考案の望ましい形態では、前記薄板部材の厚みは、前記収納袋を形成する部材の厚みよりも大きい。
【００１３】
このような構成にすることによって、前記収納袋を前記ケースへ収容する際に、前記ケースが変形しにくくなり、前記収納袋を前記ケース内部に簡便に挿入できるようになる。
【００１４】
本考案の望ましい形態では、前記収納袋には、前記収納袋が折り畳まれた状態で、前記収納袋の幅方向に向けて複数の折り畳み線が形成されており、前記複数の折り畳み線において、隣接する前記折り畳み線同士の間隔は、前記収納袋の下端から上端にかけて、徐々に広くなるように設けられる。
【００１５】
このような構成にすることによって、前記収納袋の下端から上端に掛けて、前記折り畳み線を巻き回すようにして、収納袋１を折り畳むことができるようになる。
【００１６】
本考案の望ましい形態では、前記折り畳み線は、前記収納袋の幅が最大となる位置に設けられる。
【００１７】
このような構成にすることによって、前記収納袋を畳む際に、余分に折り重なる部分を生じにくくし、前記収納袋をより薄く畳むことができるようになる。
【００１８】
本考案の望ましい形態では、前記収納袋は、上部に手指を挿入可能な穴として形成される持ち手部を有し、前記持ち手部は、前記収納袋の上端と、前記収納袋の上端に隣接する折り畳み線と、の間に設けられる。
【００１９】
このような構成にすることによって、前記収納袋の上下を確かめることができるようになり、前記収納袋を折り畳んだ状態から使用状態への変形を容易に行うことができるようになる。
【００２０】
本考案の望ましい形態では、前記持ち手部は、周縁部から延設して設けられる延設部を有し、前記延設部は、前記収納袋の裏側に向けて折られた状態で前記収納袋に接合される。
【００２１】
このような構成にすることによって、持ち手部の強度を簡便な構成で高めることができるようになる。
【考案の効果】
【００２２】
上記の構成によって、収納袋を薄い状態を保持して持ち運び可能な、携帯性に優れる収納用具を提供することができるようになる。
【図面の簡単な説明】
【００２３】
【図１】本考案の実施形態に係る、収納用具を表す斜視図である。
【図２】本考案の実施形態に係る、使用状態における収納袋の斜視図である。
【図３】本考案の第一の実施形態に係る、折り込んだ収納袋の上面図である。
【図４】本考案の第一の実施形態に係る、折り畳んだ収納袋の上面図である。
【図５】本考案の第一の実施形態に係る、折り重ねた収納袋の上面図である。
【図６】本考案の実施形態に係る、ケースの構成を表す模式図である。
【図７】本考案の実施形態に係る、収納袋の展開図を表す図である。
【図８】本考案の実施形態に係る、持ち手部の裏側を表す模式図である。
【図９】本考案の第二の実施形態に係る、折り込んだ収納袋の上面図である。
【図１０】本考案の第二の実施形態に係る、折り畳んだ収納袋の上面図である。
【図１１】本考案の実施形態に係る、ケースの中に収納袋を畳まずに入れる際の斜視図である。
【考案を実施するための形態】
【００２４】
以下、図面を用いて、本考案の各実施形態に係る収納袋について説明する。これらの図面において符号Ｘは収納用具を表し、破線は山折り線を表しており、一点破線は谷折り線を表している。
また、本明細書においては、まず考案の各実施形態の構成する部品の構造等について詳述し、次に部品の製造方法について述べ、最後に考案の使用方法について解説を行う。
なお、以下に示す各実施形態は本考案の一例であり、本考案を以下の各実施形態に限定するものではない。
【００２５】
≪第一の実施形態≫
図１は、収納用具Ｘを表す斜視図であり、本図に示すように、収納用具Ｘは、収納袋１と、ケース２と、によって構成されている。
なお、図１において収納袋１はコンパクトに畳まれた状態で示されているが、折り畳みの方法については後述する。
【００２６】
図２は、収納袋１を広げ、使用できる状態としたときの斜視図である。
図２に示すように、使用状態の収納袋１は、対向する平面状の身頃部１１と、身頃部１１同士を結合するマチ部１２と、によって上部のみが開口した箱状に構成されている。
【００２７】
身頃部１１は、幅２０〜３０ｃｍ、高さ２０〜３０ｃｍの平面状の薄布部材であって、その上部には手指を挿入可能な大きさをもつ穴として持ち手部１３が形成されている。
【００２８】
マチ部１２は、略長方形状の薄布部材であって、２枚の身頃部１１の側部同士を結合する側面マチ部１２１と、２枚の身頃部１１の底側同士を結合する底マチ部１２２（図２上に記載なし）と、が含まれ、これらによって収納袋１に奥行を形成する。
なお、図２において、側面マチ部１２１と底マチ部１２２の共有辺Ａ１が設けられる方向を奥行の方向とする。
【００２９】
また、図２において、側面マチ部１２１上には、折り込み線Ｂ１が示されている。
詳述すると、側面マチ部１２１上に示される、共有辺Ａ１の垂直二等分線Ａ２において、中点より底面側にある点を極点Ｐとしたとき、垂直二等分線Ａ２の上端から極点Ｐまでの線が垂直山折り線Ｂ１１として設けられ、極点Ｐから垂直二等分線Ａ２の下端までの線が垂直谷折り線Ｂ１２として設けられる。
上記に加えて、極点Ｐから共有辺Ａ１のそれぞれの端点に向けて、斜山折り線Ｂ１３が設けられる。
【００３０】
上記折り込み線Ｂ１に従ってマチ部１２を折り込むことによって、収納袋１を、図３に示すような平面状とすることができる。
【００３１】
特に、垂直谷折り線Ｂ１２の長さは、マチ部１２の厚み方向の長さの半分と略同一であることが好ましい。
このような構成にすることによって、収納袋１の内側に、底マチ部１２２の端部が垂直二等辺三角形となるように折り込まれるため、折り込まれた垂直谷折り線Ｂ１２と、後述する折り畳み線Ｂ２と、の角度が一致し、マチ部１２をきれいに折り込むことができるようになる。
【００３２】
以下、図３〜図５を用いて、本考案の第一の実施形態に係る収納袋１の畳みの方法について詳述する。これらの図において、図３は、図２に記した折り込み線Ｂ１に従って収納袋１を平面状にした状態を表しており、図４は、図３に記した折り畳み線Ｂ２に従って収納袋１を折り畳んだ状態を表しており、図５は、図４に記した折り目線Ｂ３に従って収納袋１を折った状態を表している。
【００３３】
図３に示すように、折り込み線Ｂ１に従って折り込んだ収納袋１は、極点Ｐから収納袋１の幅方向に向けて設けられる直線（後述する第一折り畳み線Ｂ２１）を境界として、台形状の部分と、長方形状の部分とを組み合わせた形状となる。
さらに、収納袋１上には、幅方向に平行な折り畳み線Ｂ２が複数形成され、そのいずれもが収納袋１の長方形状の部分にある。すなわち、収納袋１の幅が最大となる位置に折り畳み線Ｂ２が設けられる。
【００３４】
折り畳み線Ｂ２は、極点Ｐの近傍を通る第一折り畳み線Ｂ１と、第一折り畳み線Ｂ１と収納袋１の上端との間に設けられる最上折り畳み線Ｂ２ｚと、によって構成され、いずれも谷折りを表示している。
このような構成にすることによって、収納袋１の第一折り畳み線Ｂ２１に従って折り畳む際に、折り込み線Ｂ１に従って折り込まれた底マチ部１２２の全面が余すことなく折り畳まれることとなるため、収納袋１に余分な厚みを生じさせず、薄く折り畳むことができる。
【００３５】
なお、最上折り畳み線Ｂ２１ｚと収納袋１の上端との間隔は、第一折り畳み線Ｂ２１と最上折り畳み線Ｂ２１ｚとの間隔よりも広い。
これによって収納袋１の下方から上方に向かって巻き回すようにして折り畳むことができる。
【００３６】
また、収納袋１の上端と、最上折り畳み線Ｂ２ｚと、の間には、持ち手部１３が設けられている。
【００３７】
図４に示すように、折り畳み線Ｂ２に従って折り畳まれた状態の収納袋１は略長方形状となり、収納袋１の高さ方向に向けて、谷折りする旨を表示する折り目線Ｂ３が複数設けられている。
【００３８】
折り目線Ｂ３は、第一折り目線Ｂ３１と、第二折り目線Ｂ３２と、によって構成されており、上述した状態の収納袋１の幅方向を３分割する位置にそれぞれ設けられている。
【００３９】
また、持ち手部１３は、第一折り目線Ｂ３１と第二折り目線Ｂ３２との間に、それぞれの折り目線Ｂ３に略接するように設けられている。
【００４０】
図５に示すように、折り目線Ｂ３に従って折られた状態の収納袋１は略長方形となり、収納袋１の高さ方向に向けて、谷折りする旨を表示する折り重ね線Ｂ４が複数設けられている。
【００４１】
折り重ね線Ｂ４は、第一折り重ね線Ｂ４１と、第二折り重ね線Ｂ４２と、によって構成されており、折り目線Ｂ３によって折られた収納袋１の幅方向を３分割する位置にそれぞれ設けられている。
【００４２】
折り重ね線Ｂ４に沿って収納袋１を折り重ねることによって、収納袋１は図１に示されるような状態となり、ケース２の中に挿入し挟持することができるようになる。
【００４３】
なお、上記折り込み線Ｂ１、折り畳み線Ｂ２、折り目線Ｂ３、折り重ね線Ｂ４、それぞれパーマネントプリーツ加工によって形成されていることが好ましいが、アイロン等によって布地に癖をつけることによって形成されていてもよい。
【００４４】
また、収納袋１はナイロン製であり、身頃部１１およびマチ部１２は略同一の厚みの素材で形成される。このように構成することによって、部品による厚みの違いが生じず均一になるため、折り畳んだ際に薄くすることができる。
【００４５】
ケース２は、図１に示すように、対向する２枚の薄板部材２１の縁辺部が縫合されることによって形成されており、２枚の薄板部材２１の間には折り畳まれた収納袋１を挿入可能とする口部２２が設けられ、また、口部２２の端部には、面取り加工が施されることによって形成された面取り部２３が設けられている。
【００４６】
薄板部材２１は、略長方形状の部材であって、布材やプラスチックなど収納袋１を形成する素材よりも剛性が高い素材を用いて形成される。好ましくは、薄板部材２１は人力で容易に弾性変形する性質を有しており、さらに好ましくは、収納袋１との摩擦が発生しにくい素材であるとよく、例えば収納袋１と同じナイロン製であるとよい。
【００４７】
図６に示すように、ケース２は、２枚の薄板部材２１を対向させた状態で、口部２２以外の縁辺部を縫合することによって形成される。本実施形態においては、長方形状の薄板部材の内の３辺が縫合され、縫合されない１辺が口部２２となる。
このように形成することによって、縫合される薄板部材２１同士が密着するため、ケース２を薄くすることができる。
なお、薄板部材２１同士の接合方法はこれに限られず、接着剤によって接着する方法によっても良い。
【００４８】
口部２２は、ケース２の内部と外部とを接続する部位であって、外部から力を加えることによって容易に変形する。これにより、ケース２の内部に、折り畳まれた状態の収納袋１を挿入することができる。
特に本実施形態の収納袋１の畳み方においては、収納袋１に口部２２の最大幅より幅の短い辺が生じるため、収納袋１をケース２に容易に挿入することができる。
【００４９】
面取り部２３は、口部２２の端部に設けられる切り欠けであり、閉じた状態の口部２２を開きやすくするとともに、口部２２の実質的な最大幅を大きくする効果がある。
なお、面取り部２３は、ケース２の複数箇所に設けられていてもよい。
【００５０】
本実施形態において、面取り部２３は、図６に示すように、予め薄板部材２１の端部に切り欠けを設け、それぞれを接合することによって設けられている。
【００５１】
以下に、図７及び図８を用いて、本実施形態に係る収納袋１の製造方法について詳述する。なお、収納袋１は、製作者によって製作され、製作順序は適宜前後させてもよい。
図７は、収納袋１の展開図であり、図に示す一点破線の部分において折られ、また二点破線の部分において縫合されることによって、収納袋１を形成する。また、図７は持ち手部１３の裏面の拡大図である。
【００５２】
図７において示すように、側面マチ部１２１は、第一側面マチ部１２１ａと、第二側面マチ部１２１ｂと、によって構成されている。
【００５３】
まず、製作者は、第一側面マチ部１２１ａと、第二側面マチ部１２１ｂと、を縫合し、垂直二等分線Ａ２を形成することによって、一枚の側面マチ部１２１を形成する。
【００５４】
次に、製作者は、側面マチ部１２１の下部と、底マチ部１２２の縁辺部と、を縫合し、共有辺Ａ１を形成することによって、収納袋１を袋状にする。
【００５５】
次に、製作者は、図８に示すように、略長方形状の持ち手部１３を成型する。
製作者は、収納袋１の上部に持ち手部１３の形状に合わせた切れ込みを入れ、それぞれの切れ込みを収納袋１の裏側に折り返すことで延設部１３１とする。この際、延設部１３１は、それぞれ持ち手部１３を形成する辺を含むようにすることが好ましい。
【００５６】
次に、製作者は、延設部１３１を裏側に折り返した状態で、収納袋１に縫合する。
このようにすることによって、簡便に持ち手部１３を製作し、その強度を強めることができる。
【００５７】
最後に、製作者は、適切な位置に折り込み線Ｂ１、折り畳み線Ｂ２、折り目線Ｂ３及び折り重ね線Ｂ４を付けることにより、収納袋１を完成させる。
【００５８】
なお、収納袋１の生地は、レーザーカッタ―によって裁断されることが好ましい。これによって、裁断面によるほつれを生じにくくし、薄くとも丈夫な収納袋１を作成することができる。
【００５９】
また、製作者は、第一側面マチ部１２１ａと、第二側面マチ部１２１ｂと、の間に生じる端材を利用してケース２を製作してもよい。
このような構成にすることによって、材料を余らせずに収納用具Ｘを製作することができるようになる。
【００６０】
以下に図１〜図５を用いて、本考案の第一の実施形態における収納用具Ｘの使用方法について詳述する。
本考案は、収納袋１をケース２へ収納する使用者によって使用される。
【００６１】
まず、使用者は、図２のように開かれた状態の収納袋１において、垂直山折り線Ｂ１１を山折りにし、垂直谷折り線Ｂ１２を谷折りにし、斜山折り線Ｂ１３を山折りにすることによって、マチ部１２を図３に示すような状態になるように折り込む。
【００６２】
次に、使用者は、図３のように略平面状になった状態の収納袋１を、下端から上方に向けて、折り畳み線Ｂ２に合わせて巻き回すようにして折り畳む。
なお、第一折り畳み線Ｂ２１の折り畳みは、収納袋１の下端の辺と、最上折り畳み線Ｂ２ｚを沿わせるようにして折り畳めるようにすることが好ましい。
【００６３】
次に、使用者は、図４のように略長方形状になった状態の収納袋１を、第一折り目線Ｂ３１及び第二折り目線Ｂ３２にそれぞれ合わせて谷折りにして折る。この際、持ち手部１３の端部を折り目の指標として用いることができる。
【００６４】
次に、使用者は、図５のように略長方形状となった状態の収納袋１を、第一折り重ね線Ｂ４１及び第二折り重ね線Ｂ４２に合わせて、それぞれ谷折りにして折る。
【００６５】
最後に、使用者は、コンパクトに畳まれた収納袋１をケース２内に挟持させることで収納用具Ｘとし、さらに収納用具Ｘを財布等の小物入れに入れて携帯する。
【００６６】
上記畳みの方法では、畳みに必要な動作が谷折り動作のみであるため、収納袋１をひっくり返す操作や持ち上げる操作を行わずして簡便に畳むことができる。
加えて、後述する第二の実施形態に比べて幅方向に畳まれる回数が多いため、畳まれた収納袋１の高さ方向の強度が高まり、ケース２への挿入が容易になる。
【００６７】
≪第二の実施形態≫
以下、主に図９及び図１０を用いて本考案の実施形態の変更例について詳述する。なお、第一の実施形態と同様の構成については記載を省略する。
【００６８】
以下に、図９および図１０を用いて、本考案の第二の実施形態に係る収納袋１の畳みの方法について詳述する。なお、図９は、図２に記した変更折り込み線Ｂ１に従って収納袋１を平面状にした状態を表しており、図１０は、図９に記した折り畳み線Ｃ２に従って収納袋１を折り畳んだ状態を表している。
【００６９】
図９に示すように、折り込み線Ｂ１に従って折り込んだ収納袋１は、極点Ｐから収納袋１の幅方向に向けて設けられる直線（後述する第二折り畳み線Ｃ２２）を境界として、台形状の部分と、長方形状の部分とを組み合わせた形状となる。
さらに、収納袋１上には、幅方向に平行な変更折り畳み線Ｃ２が複数形成され、後述する変更第一折り畳み線Ｃ１を除いたすべての折り畳み線が収納袋１の長方形状の部分にある。すなわち、収納袋１の幅が最大となる位置に折り畳み線Ｂ２が複数設けられている。
【００７０】
本実施形態においては、変更折り畳み線Ｃ２が６本設けられているが、特に、収納袋１の下端に最も近い折り畳み線を変更第一折り畳み線Ｃ２１、変更第一折り畳み線Ｃ２１に隣接する折り畳み線を変更第二折り畳み線Ｃ２２、収納袋１の上端に最も近い折り畳み線を変更最上折り畳み線Ｃ２ｚとする。
【００７１】
また、それぞれの変更折り畳み線Ｃ２において、隣接する変更折り畳み線Ｃ２同士の間隔は、収納袋１の下端から上端にかけて、徐々に広くなるように設けられている。
【００７２】
また、変更第二折り畳み線Ｃ２２は、極点Ｐの近傍を通るように設けられている。
このようにすることによって、変更第一折り畳み線Ｃ２１および変更第二折り畳み線Ｃ２２を折り畳むことで、折り込み線Ｂ１に従って折り込まれた底マチ部１２２の全面が余すことなく折り畳まれることとなるため、収納袋１に余分な厚みを生じさせず、薄く折り畳むことができるようになる。
【００７３】
さらに、収納袋１の上端と、変更最上折り畳み線Ｃ２ｚと、の間には、持ち手部１３が設けられる。このような構成によって、図１０に示すように、収納袋1を折り畳んだ状態においても、持ち手部１３がどこにあるのかを視認することができる。
【００７４】
なお、図９のように、持ち手部１３の下方と、変更最上折り畳み線Ｃ２ｚと、は近接するように設けることが好ましい。このように構成することによって、収納袋１の上端と持ち手部１３との間の幅を広く構成することができるようになり、持ち手部１３の堅牢性が向上する。
【００７５】
図１０に示すように、変更折り畳み線Ｃ２に従って折り畳まれた状態の収納袋１は略長方形となり、折り畳まれた収納袋１上には、変更折り目線Ｃ３が複数設けられている。
【００７６】
変更折り目線Ｃ３は、折り畳まれた収納袋１の長辺を４つに略等分割する位置にそれぞれ設けられており、中央に位置する折り目線を中央谷折り線Ｃ３１、中央谷折り線に隣接する２つの折り目線をそれぞれ四分位谷折り線Ｃ３２、四分位山折り線Ｃ３３とする。
【００７７】
変更折り目線Ｃ３に従って収納袋１を折ることによって、収納袋１は図１に示すような形状になり、ケース２に挿入して挟持することができるようになる。
【００７８】
使用方法？
上述のような収納袋１の畳み方によれば、持ち手部１３が収納袋１の内側に位置するようになり、畳まれた収納袋１の表面に凹凸が現れないため、収納袋１をケース２へ挿入する際に、摩擦により形状が崩れることを軽減することができる。
【００７９】
以下に、図１、図９及び図１０を用いて、本考案の第二の実施形態における収納用具Ｘの使用方法について詳述する。
本考案は、収納袋１をケース２へ収納する使用者によって使用される。
【００８０】
まず、使用者は、第一の実施形態と同様にしてマチ部１２を図３に示すような状態になるように折り込む。
【００８１】
次に、使用者は、図３のように略平面状になった状態の収納袋１を、下端から上方に向けて、変更折り畳み線Ｃ２に合わせて巻き回すようにして折り畳む。
なお、変更第一折り畳み線Ｃ２１の折り畳みは、収納袋１の下端の辺と、変更第二折り畳み線Ｃ２２を沿わせるようにして折り畳むことが好ましい。
【００８２】
次に、使用者は、図４のように略長方形状になった状態の収納袋１を、中央谷折り線Ｃ３１を谷折りにしてから、四分位谷折り線Ｃ３２及び四分位山折り線Ｃ３３を重ねた状態で折ることによって、図１に示すように収納袋１を畳むことができる。
【００８３】
最後に、使用者は、畳まれた収納袋１をケース２内に挟持させることで収納用具Ｘとし、さらに収納用具Ｘを財布等の小物入れに入れて携帯する。
【００８４】
上記構成によって、収納袋１を薄い状態に保持して持ち運び可能な、携帯性に優れる収納用具Ｘを提供することができる。また、上述の操作を逆に行うことによって、使用者は収納袋１を簡便に使用することができる。
【００８５】
また、図１１に示すように、収納袋１を折り畳まずにそのままケース２に押し込むように収納してもよい。
本実施形態に係る考案は、２枚の薄板部材２１がケース２内部に収容された部材を挟み込むため、収納袋１を畳まずに収容しなくとも、ある程度の薄さを確保することができる。
【００８６】
なお、収納袋１に設けられる折り目の方向は、高さ方向に折り畳まれていてもよく、口部２２より最小幅が小さくなればどのように折り目が設けられていてもよい。
【符号の説明】
【００８７】
Ｘ      収納用具
１      収納袋
１１    身頃部
１２    マチ部
１２１  側面マチ部
１２２  底マチ部
１３    持ち手部
１３１  延設部
２      ケース
２１    薄板部材
２２    口部
２３    面取り部
Ｐ      極点
【図１】
0003231532.tif 000003
【図２】
0003231532.tif 000004
【図３】
0003231532.tif 000005
【図４】
0003231532.tif 000006
【図５】
0003231532.tif 000007
【図６】
0003231532.tif 000008
【図７】
0003231532.tif 000009
【図８】
0003231532.tif 000010
【図９】
0003231532.tif 000011
【図１０】
0003231532.tif 000012
【図１１】
0003231532.tif 000013